(57)【要約】【課題】使用者の頭サイズが大きい場合にも、レンズが変形しないようにすることにより、ヒサシと使用者の顔面との隙間が大きくなることなく、花粉や粉塵等が眼に入り込むのを効率よく防いで、眼を保護することができ、さらに光軸角度が変わらず、レンズを通して見える像が歪まないようにした保護眼鏡を提供する。【解決手段】ブレースバー１と、このブレースバー１の両端に取り付けたツル２と、レンズ３とからなるものとし、前記レンズ３の中央上部をブレースバー１の中央部に止着したものとし、前記レンズ３の周縁に使用者の顔面に沿うように突出させたヒサシ８を形成したものとしている。【選択図】図２
2015187740.tif 000002
【特許請求の範囲】
【請求項１】
弾性変形自在とした合成樹脂よりなるブレースバー（１）と、前記ブレースバー（１）と同一の合成樹脂からなり前記ブレースバー（１）の両端に取り付けたツル（２）と、前記ブレースバー（１）及び前記ツル（２）より硬質の合成樹脂からなるレンズ（３）とからなるものとし、前記レンズ（３）の中央上部を前記ブレースバー（１）の中央部に止着したものとし、前記レンズ（３）の周縁に使用者の顔面に沿うように使用者の顔面方向に突出させたヒサシ（８）を前記レンズ（３）と一体として形成したことを特徴とする保護眼鏡。
【請求項２】
前記レンズ（３）の中央上部を前記ブレースバー（１）の中央部に二点で止着したことを特徴とする請求項１記載の保護眼鏡。
【請求項３】
前記レンズ（３）の中央から左右３〜１０ｍｍの間隔で設けた二個のビス孔（３ｃ）にそれぞれビス（７）を差し込み、前記レンズ（３）を前記ブレースバー（１）に止着したことを特徴とする請求項２記載の保護眼鏡。
【請求項４】
前記レンズ（３）及び前記ヒサシ（８）が紫外線吸収剤を含有していることを特徴とする請求項１から３の何れかに記載の保護眼鏡。
【請求項５】
前記レンズ（３）を一眼とし、前記ブレースバー（１）の長さと略一致する横長としており、上周縁が前記ブレースバー（１）に略沿うように平面視略円弧状に形成したことを特徴とする請求項１から４の何れかに記載の保護眼鏡。
【請求項６】
前記レンズ（３）を二眼とし、それぞれの内側上部同士をブリッジ部（９）で繋いだものとし、前記ブレースバー（１）の長さと略一致する横長としており、上周縁が前記ブレースバー（１）に略沿うように平面視略円弧状に形成したことを特徴とする請求項１から４の何れかに記載の保護眼鏡。
【発明の詳細な説明】
【技術分野】
【０００１】
この発明は、花粉や粉塵等から眼を保護するための保護眼鏡に関するものである。
【背景技術】
【０００２】
従来、この種の眼鏡としては、ヒサシ付きのフレームにレンズを嵌め込んだもの、ヒサシ付きのレンズをフレームに嵌め込んだもの、一眼レンズにヒサシを一体化したものなどが存在する（特許文献１〜４）。
【０００３】
上記この種の眼鏡において、例えば図１１に示したように、一眼レンズにヒサシを一体化したものは、一眼レンズ１１の両端部に取り付けた左右のツル１２、１２の間隔を、設計上想定される理想の頭サイズに形成しているため、使用者が理想の頭サイズである場合には、図１２に示したように、レンズ１１の上周縁に一体化して設けたヒサシ１３は、使用者の顔面との間に大きい隙間Ｓを生じさせることなく覆うことができるものとなっている。
【０００４】
一方、前記したような眼鏡とは別に、レンズを通して見える像が頭サイズ（顔幅）の大きさの影響を受けにくくした眼鏡が存在する（特許文献５）。
【０００５】
この眼鏡は、図１４、１５に示したように、ブレースバー２１と鼻当て部２２を備えていると共にこのブレースバー２１の両端部にツル２３を取り付けており、前記ブレースバー２１の中央部と鼻当て部２２で一眼レンズ２４を保持している。さらに、前記一眼レンズ２４の左右上縁部分は、ブレースバー２１に対して間隙ｇを設けて前方に配置させている。そして、前記左右のツル２３、２３の間隔は、設計上想定される理想の頭サイズに形成されている。
【０００６】
そのため、上記従来の眼鏡においては、頭サイズ（顔幅）が大きい場合には、左右のツル２３、２３相互が広がってブレースバー２１が弾性変形することとなるが、この眼鏡では一眼レンズ２４の中央部のみをブレースバー２１の中央部と鼻当て部２２で保持しているため、一眼レンズ２４は視界に影響を与えない部分のみが変形し、よって一眼レンズ２４を通して見える像はほとんど歪まないことになる。
【先行技術文献】
【特許文献】
【０００７】
【特許文献１】特開平１０−３２８２３０号公報
【特許文献２】実開平５−６０８９０号公報
【特許文献３】実用新案登録第３０２６２２８号公報
【特許文献４】実用新案登録第３１５２４１２号公報
【特許文献５】特開２００２−２１４５６７号公報
【発明の概要】
【発明が解決しようとする課題】
【０００８】
しかしながら、上記図１１に示した従来の保護眼鏡では、使用者の頭サイズが設計上想定される理想の頭サイズより大きい場合には、図１３に示すように、眼鏡装着時に左右のツル１２、１２が使用者の側頭部によって押し広げられる。この場合、左右のツル１２、１２は、一眼レンズ１１の両端部に取り付けられているため、これら左右のツル１２、１２が押し広げられると、当然一眼レンズ１１全体も弾性変形し、以下の問題点を有する。
【０００９】
先ず、一眼レンズ１１の光軸角度が変わり、一眼レンズ１１を通して見える像に歪みが生じることがある。そして、一眼レンズ１１のヒサシ１３と使用者の顔面との隙間Ｓが大きくなり、花粉や粉塵等が眼に入り込むのを効率よく防ぐことができなくなる。さらに、一眼レンズ１１は、硬質の合成樹脂等で形成されており弾力性を有しているため、この一眼レンズ１１が弾性変形すると、使用者の側頭部が左右のツル１２、１２によって圧迫される。
【００１０】
また、上記従来の図１４に示した眼鏡では、使用者の頭サイズ（顔幅）が大きい場合にも、一眼レンズ２４は視界に影響を与えない部分のみが変形するので、一眼レンズ２４を通して見える像はほとんど歪まないことになるが、一眼レンズ２４と使用者の顔面との隙間は大きく開いており、花粉や粉塵等が眼に入るのを殆ど防ぐことはできない。
【００１１】
そこで、この発明は、上記従来の問題点を解決することをその課題としており、使用者の頭サイズが大きい場合にも、レンズが変形しないようにすることにより、ヒサシと使用者の顔面との隙間が大きくなることなく、花粉や粉塵等が眼に入り込むのを効率よく防いで、眼を保護することができ、さらにレンズが変形しないようにすることにより、光軸角度が変わらず、レンズを通して見える像が歪まないようにした保護眼鏡を提供することを目的としてなされたものである。
【課題を解決するための手段】
【００１２】
この発明の保護眼鏡は、ブレースバー１と、ブレースバー１と同一の合成樹脂からなりブレースバー１の両端に取り付けたツル２と、ブレースバー１及びツル２より硬質の合成樹脂からなるレンズ３とからなるものとし、レンズ３の中央上部をブレースバー１の中央部に止着したものとし、レンズ３の周縁に使用者の顔面に沿うように使用者の顔面方向に突出させたヒサシ８をレンズ３と一体として形成したものとしている。
【００１３】
そして、この発明の保護眼鏡は、レンズ３の中央上部をブレースバー１の中央部に二点で止着したものとしている。
【００１４】
さらに、この発明の保護眼鏡は、レンズ３の中央から左右３〜１０ｍｍの間隔で設けた二個のビス孔３ｃにそれぞれビス７を差し込み、レンズ３をブレースバー１に止着したものとしている。
【００１５】
また、この発明の保護眼鏡は、レンズ３及び前記ヒサシ８が紫外線吸収剤を含有したものとしている。
【００１６】
さらに、この発明の保護眼鏡は、レンズ３を一眼とし、ブレースバー１の長さと略一致する横長としており、上周縁がブレースバー１に略沿うように平面視略円弧状に形成したものとしている。
【００１７】
また、この発明の保護眼鏡は、レンズ３を二眼とし、それぞれの内側上部同士をブリッジ部９で繋いだものとし、ブレースバー１の長さと略一致する横長としており、上周縁がブレースバー１に略沿うように平面視略円弧状に形成したものとしている。
【発明の効果】
【００１８】
この発明の保護眼鏡は、以上に述べたように構成されているので、使用者の頭サイズが大きい場合にも、ヒサシ８と使用者の顔面との隙間が大きくなることなく、花粉や粉塵等が眼に入り込むのを効率よく防いで、眼を保護することができ、さらに光軸角度が変わらず、レンズを通して見える像が歪まないものとなった。
【図面の簡単な説明】
【００１９】
【図１】この発明の保護眼鏡の一実施形態を示す斜視図である。
【図２】図１に示すこの発明の保護眼鏡の分解斜視図である。
【図３】図１に示すこの発明の保護眼鏡の鼻当てパッドを外した状態を示す平面図である。
【図４】図１に示すこの発明の保護眼鏡の背面図である。
【図５】図４中のＡ−Ａ線によるこの発明の保護眼鏡の断面図である。
【図６】この発明の保護眼鏡の他の実施形態を示す斜視図である。
【図７】図６に示すこの発明の保護眼鏡の分解斜視図である。
【図８】図６に示すこの発明の保護眼鏡の平面図である。
【図９】図１に示すこの発明の保護眼鏡を、設計上想定される理想の頭サイズの使用者に装着した状態を示す平面図である。
【図１０】図１に示すこの発明の保護眼鏡を、設計上想定される理想の頭サイズより大きい使用者に装着した状態を示す平面図である。
【図１１】従来の保護眼鏡の一例を示す斜視図である。
【図１２】図１１に示す従来の保護眼鏡を、設計上想定される理想の頭サイズの使用者に装着した状態を示す平面図である。
【図１３】図１１に示す従来の保護眼鏡を、設計上想定される理想の頭サイズより大きい使用者に装着した状態を示す平面図である。
【図１４】レンズを通して見える像が歪まないようにした従来の眼鏡の一例を示す正面図である。
【図１５】図１４に示す従来の眼鏡を一部省略して示す平面図である。
【発明を実施するための形態】
【００２０】
以下、この発明の保護眼鏡を実施するための形態を、図面に基づいて詳細に説明する。
【００２１】
この発明の保護眼鏡は、図１〜５に示したものでは、ブレースバー１と、このブレースバー１の両端に取り付けたツル２と、一眼のレンズ３とからなるものとしており、図６〜８に示したものでは、中央にブリッジ部４を形成したブレースバー１と、このブレースバー１の両端に取り付けたツル２と、二眼のレンズ３とからなるものとしている。
【００２２】
ブレースバー１は、ナイロン、ポリカーボネートなどの弾性変形自在とした合成樹脂よりなるものとしており、中央に形成したブリッジ部４はこのブレースバー１と一体成形している。さらに、前記ブレースバー１は、設計上想定される理想の頭サイズの使用者の額下部の形状にほぼ沿うように平面視略円弧状に形成している。
【００２３】
ツル２は、前記ブレースバー１と同一の合成樹脂よりなり、このブレースバー１にヒンジ５を介して、折り畳み自在に取り付けている。
【００２４】
一眼のレンズ３は、前記ブレースバー１およびツル２より硬質のポリカーボネートなどからなるものとしており、前記ブレースバー１の長さと略一致する横長としており、上周縁がこのブレースバー１に略沿うように平面視略円弧状に形成している。
【００２５】
前記一眼のレンズ３は、中央下部に切欠き部３ａを形成し、この切欠き部３ａの内側に鼻パッド６を取り付けている。前記切欠き部３ａの内側には、鼻パッド６に形成した係合凹部（図示せず）に着脱自在として係合しておくための係合凸部３ｂを形成したものとしている。そして、前記レンズ３の中央上部は、ブレースバー１の中央部にビス止めするなどして止着したものとしている。図示したものでは、前記レンズ３の中央上部をブレースバー１の中央部に設けた溝１ａに嵌め込み、レンズ３の中央上部に左右３〜１０ｍｍ間隔で設けた二個のビス孔３ｃと、これらビス孔３ｃに対向してブレースバー１の中央部に設けた二個のビス孔１ｂにそれぞれビス７を差し込み、これらビス７をブレースバー１にねじ込むことにより、前記レンズ３をブレースバー１にビス止めしたものとしている。前記レンズ３をブレースバー１に止着する場合、ブレースバー１の歪みがレンズ３にほとんど影響しないように、前記二個のビス孔７の間隔は、強度上の問題が起きない範囲でなるべく狭くするのが望ましい。なお、前記レンズ３のブレースバー１への止着は、ブレースバー１の中央部に溝１ａを設けることなく、ブレースバー１の中央部に、後に述べる二眼レンズのブリッジ部４に相当するようなものを設ければ、二眼レンズの場合と同様にしておこなうこともできる。
【００２６】
さらに、前記レンズ３は、その周縁に使用者の顔面に沿うように突出させたヒサシ８を形成したものとしている。すなわち、前記レンズ３の上周縁には、使用者の顔面の額下部に沿うように、内側方向（使用者の顔面方向）に突出させたヒサシ８を一体として形成している。さらに、前記レンズ３には、必要に応じて、その下周縁に使用者の顔面の頬上部に沿うように、内側方向（使用者の顔面方向）に突出させたヒサシ８（図示せず）を一体として形成したり、その両側周縁に使用者の顔面のこめかみ付近に沿うように、内側方向（使用者の顔面方向）に突出させたヒサシ８（図示せず）を一体として形成することができる。
【００２７】
二眼のレンズ３は、前記ブレースバー１およびツル２より硬質のポリカーボネートなどからなるものとしており、それぞれの内側上部同士をブリッジ部９で繋いだものとし、前記ブレースバー１の長さと略一致する横長としており、上周縁がこのブレースバー１に略沿うように平面視略円弧状に形成している。そして、前記レンズ３の中央上部、すなわちブリッジ部９は、ブレースバー１の中央部、すなわちブリッジ部４にビス止めするなどして止着したものとしている。図示したものでは、前記レンズ３のブリッジ部９の中央から左右３〜１０ｍｍの間に設けた二個のビス孔３ｃにそれぞれビス７を差し込み、これらビス７をブリッジ部４にねじ込むことにより、前記レンズ３をブレースバー１にビス止めしたものとしている。前記レンズ３をブレースバー１に止着する場合、ブリッジ部９の歪みがレンズ３にほとんど影響しないように、前記二個のビス孔７の間隔は、強度上の問題が起きない範囲でなるべく狭くするのが望ましい。また、前記ブリッジ部４は、ブレースバー１より厚みや幅を広くしており、変化をもたせて意匠性に優れたものにすると共に、前記レンズ３の止着具合などによって、強度上の問題が起きないようにしている。なお、前記レンズ３のブレースバー１への止着は、ブレースバー１の中央部にブリッジ部４を設けることなく、ブレースバー１の中央部に、先に述べた一眼レンズの溝１ａに相当するようなものを設ければ、一眼レンズの場合と同様にしておこなうこともできる。
【００２８】
さらに、前記レンズ３は、その周縁に使用者の顔面に沿うように突出させたヒサシ８を形成したものとしている。すなわち、前記レンズ３の全周縁には、使用者の顔面の額下部、頬上部およびこめかみ付近に沿うように、内側方向（使用者の顔面方向）に突出させたヒサシ８を設けている。なお、前記レンズ３には、ヒサシ８を全周縁に設けることなく、前記した一眼のレンズ３のように、その上周縁、下周縁および両側周縁に、部分的に設けたものとしてもよい。
【００２９】
前記ヒサシ８は、透光性としているが、必要に応じて不透光性とすることもできる。なお、前記ヒサシ８は、紫外線吸収剤を含有させたものとすることもできる。この場合、前記レンズ３に紫外線吸収剤を含有させておけば、一体として形成するヒサシ８にも紫外線吸収剤を含有させたものとすることができる。また、前記レンズ３を透光率の高い材料で形成すれば、一体として形成するヒサシ８も透光率の高い材料で形成されることになり、逆に前記レンズ３を透光率の低い材料で形成すれば、一体として形成するヒサシ８も透光率の低い材料で形成されることになる。
【００３０】
以上のように構成されたこの発明の保護眼鏡は、設計上想定される理想の頭サイズの使用者の場合には、図９に示したように、装着時にはブレースバー１が変形することなく、レンズ３も変形することがないので、レンズ３の周縁に設けたヒサシ８も使用者の額下部、頬上部、こめかみ付近に沿って、これらの個所とヒサシ８との間に大きい隙間Ｓが生ずることがなく、花粉や粉塵等が眼に入り込むのを効率よく防ぐことができる。そして、前記レンズ３が変形することがないので、レンズ３を通して見える像に歪みが生じることがない。さらに、前記ブレースバー１が変形することがないので、使用者の側頭部がツル２で圧迫されるようなこともない。
【００３１】
さらに、この発明の保護眼鏡は、頭サイズが設計上想定される理想の頭サイズより大きい使用者の場合には、図１０に示したように、装着時にはブレースバー１の両端部が変形するが、ブレースバー１の中央部付近はほとんど変形しないので、このブレースバー１の中央部付近に止着されたレンズ３も見え具合や、ヒサシ８と使用者の顔面との隙間に影響がでるほど変形することがない。したがって、ブレースバー１と使用者の額下部との間には大きい隙間が生ずることになるが、レンズ３の周縁に設けたヒサシ８は使用者の額下部、頬上部、こめかみ付近に沿って、これらの個所とヒサシ８との間に大きい隙間Ｓが生ずることがなく、花粉や粉塵等が眼に入り込むのを効率よく防ぐことができる。そして、前記レンズ３が変形することがないので、レンズ３を通して見える像に歪みが生じることがない。さらに、前記ブレースバー１は弾性変形自在とした合成樹脂よりなるものとしているので、その両端部が変形しても、使用者の側頭部がツル２で圧迫されるようなことはない。
【００３２】
また、この発明の保護眼鏡は、ヒサシ８に紫外線吸収剤を含有させている場合には、眼鏡装着時の側面からの紫外線の浸入を効果的に防ぐことができ、さらにヒサシ８を透光率の低い材料で形成している場合には、眼鏡装着時の側面からの強い日差しから眼を守ることができる。
【符号の説明】
【００３３】
１ ブレースバー
２ ツル
３ レンズ
８ ヒサシ
９ ブリッジ部
【図１】
2015187740.tif 000003
【図２】
2015187740.tif 000004
【図３】
2015187740.tif 000005
【図４】
2015187740.tif 000006
【図５】
2015187740.tif 000007
【図６】
2015187740.tif 000008
【図７】
2015187740.tif 000009
【図８】
2015187740.tif 000010
【図９】
2015187740.tif 000011
【図１０】
2015187740.tif 000012
【図１１】
2015187740.tif 000013
【図１２】
2015187740.tif 000014
【図１３】
2015187740.tif 000015
【図１４】
2015187740.tif 000016
【図１５】
2015187740.tif 000017